(57)【特許請求の範囲】
【請求項１】
基準投射面に白色光源、黒色光源および有色光源を投射した時、獲得した基準投射特性情報を保存する機器特性保存部と、
入力映像に上記基準投射特性情報を反映し、上記入力映像を処理映像に変換する第１映像変換部と、
対象投射面に白色光源および黒色光源を投射し、対象投射特性情報を獲得する映像特性獲得部と、
上記処理映像に上記対象投射特性情報を反映し、上記処理映像を向上映像に変換する映像向上部、および
上記向上映像に上記基準投射特性情報および上記対象投射特性情報を反映し、上記向上映像を出力映像に変換する第２映像変換部を含む、投射面条件を考慮する映像投射装置。
【請求項２】
上記第１映像変換部は、
上記入力映像に上記基準投射特性情報を反映し、上記入力映像を標準映像に変換する標準色空間変換部、および
上記標準映像を上記処理映像に変換する処理色空間変換部を含む、請求項１に記載の投射面条件を考慮する映像投射装置。
【請求項３】
上記映像向上部は、
上記基準投射特性情報、上記対象投射特性情報および所定の色距離利得を反映し、視感色距離を算出する視感色距離算出部と、
上記処理映像に上記視感色距離を反映し、上記処理映像を色相修正映像に変換する色相修正部と、
上記基準投射特性情報および上記対象投射特性情報を参照し、輝度比を算出する輝度比算出部と、
既設定された明るさ利得に従い上記輝度比を修正輝度比に変換する輝度比修正部、および
上記色相修正映像に上記修正輝度比を反映し、上記色相修正映像を向上映像に変換する明るさ修正部を含む、請求項１に記載の投射面条件を考慮する映像投射装置。
【請求項４】
上記第２映像変換部は、
上記向上映像を標準出力映像に変換する標準出力映像変換部、および
上記標準出力映像に上記基準投射特性情報および上記対象投射特性情報を反映し、上記標準出力映像を出力映像に変換する出力映像変換部を含む、請求項１に記載の投射面条件を考慮する映像投射装置。
【請求項５】
上記基準投射特性情報は、
【数１】
0005534638.tif 000062
の基準白色点（ｗｈｉｔｅ  ｐｏｉｎｔ）平準化座標情報、
【数２】
0005534638.tif 000063
の基準黒色光座標情報、
【数３】
0005534638.tif 000064
の基準色相行列情報、
【数４】
0005534638.tif 000065
の機器色特性行列情報および
【数５】
0005534638.tif 000066
の基準輝度情報中少なくともいずれか一つであるが、
ここで、
【数６】
0005534638.tif 000067
は、基準投射面に白色光が投射された時の平準化された白色点座標値、
【数７】
0005534638.tif 000068
は、基準投射面に黒色光が投射された時、測定値のＸＹＺ色空間座標値、
【数８】
0005534638.tif 000069
は、基準投射面に様々な強度を有する赤色光、青色光、緑色光を交代で投射した時、赤色光の最大ＸＹＺ色空間座標値、青色光の最大ＸＹＺ色空間座標値および緑色光の最大ＸＹＺ色空間座標値行列、
【数９】
0005534638.tif 000070
は、側色を遂行し、獲得し、機器に依存した色特性行列、
【数１０】
0005534638.tif 000071
は、基準投射面に白色光を投射した時、獲得した輝度値である、請求項１に記載の投射面条件を考慮する映像投射装置。
【請求項６】
上記基準色相行列情報は、
色の強度が互いに異なる複数の映像が反映された多数の原色値を補間し、生成されたトーンカーブで最大値を有する原色のＸＹＺ座標値を含む、請求項５に記載の投射面条件を考慮する映像投射装置。
【請求項７】
上記対象投射特性情報は、
【数１１】
0005534638.tif 000072
の対象白色点平準化座標情報、
【数１２】
0005534638.tif 000073
の対象白色光標準色空間座標情報、
【数１３】
0005534638.tif 000074
の対象黒色光標準色空間座標情報および
【数１４】
0005534638.tif 000075
の対象輝度情報中少なくともいずれか一つであるが、
ここで、
【数１５】
0005534638.tif 000076
は、対象投射面に白色光を投射し、獲得する白色点の座標値の平準化値、
【数１６】
0005534638.tif 000077
は、対象投射面に白色光を投射し、獲得する標準色空間座標値、
【数１７】
0005534638.tif 000078
は、対象投射面に黒色光を投射し、獲得する標準色空間座標値、
【数１８】
0005534638.tif 000079
は、対象投射面に白色光を投射し、獲得した輝度情報である、請求項５に記載の投射面条件を考慮する映像投射装置。
【請求項８】
上記第１映像変換部は、
上記基準黒色光座標情報および上記基準色相行列情報を
【数１９】
0005534638.tif 000080
に代入し、上記入力映像を標準映像に変換する標準色空間変換部を含むが、
ここで、
【数２０】
0005534638.tif 000081
は、上記標準映像のＸＹＺ色空間座標値、
【数２１】
0005534638.tif 000082
は、上記入力映像のＲＧＢ色空間座標値である、請求項５に記載の投射面条件を考慮する映像投射装置。
【請求項９】
上記映像向上部は、
上記基準白色点平準化座標情報、上記対象白色点平準化座標情報および所定の色距離利得
【数２２】
0005534638.tif 000083
と表現される視感色距離を算出する視感色距離算出部と、
上記処理映像の白色点を上記視感色距離に変更し、上記処理映像を色相修正映像に変換する色相修正部と、
上記基準輝度情報および上記対象輝度情報の比を算出し、輝度比を生成する輝度比算出部と、
既設定された明るさ利得
【数２３】
0005534638.tif 000084
に代入し、上記輝度比を修正輝度比
【数２４】
0005534638.tif 000085
に変換する輝度比修正部、および
輝度成分が
【数２５】
0005534638.tif 000086
の上記色相修正映像に上記修正輝度比を反映し、上記色相修正映像を輝度成分が
【数２６】
0005534638.tif 000087
の向上映像に変換する明るさ修正部を含む、請求項７に記載の投射面条件を考慮する映像投射装置。
【請求項１０】
上記第２映像変換部は、
上記向上映像を標準出力映像に変換する標準出力映像変換部、および
上記機器色特性行列情報、上記対象白色光標準色空間座標情報および上記対象黒色光標準色空間座標情報を式
【数２７】
0005534638.tif 000088
と表現される原色強度座標値を算出した後、上記原色強度座標値および上記機器色特性行列情報を
【数２８】
0005534638.tif 000089
に代入し、対象色相行列情報を算出し、上記対象色相行列情報を
【数２９】
0005534638.tif 000090
に代入し、上記標準出力映像を出力映像に変換する出力映像変換部を含むが、
ここで、
【数３０】
0005534638.tif 000091
は、上記標準出力映像のＸＹＺ色空間座標値、
【数３１】
0005534638.tif 000092
は、上記出力映像のＲＧＢ座標値である、請求項７に記載の投射面条件を考慮する映像投射装置。
【請求項１１】
（ａ）基準投射面に白色光源、黒色光源および有色光源を投射した時、獲得した基準投射特性情報を入力映像に反映し、上記入力映像を処理映像に変換する段階；
（ｂ）対象投射面に白色光源および黒色光源を投射し、対象投射特性情報を獲得する段階；
（ｃ）上記処理映像に上記対象投射特性情報を反映し、上記処理映像を向上映像に変換する段階；および
（ｄ）上記向上映像に上記基準投射特性情報および上記対象投射特性情報を反映し、上記向上映像を出力映像に変換する段階を含む、投射面条件を考慮する映像投射方法。
【請求項１２】
上記（ａ）段階は、
上記入力映像に上記基準投射特性情報を反映し、上記入力映像を標準映像に変換する段階、および
上記標準映像を上記処理映像に変換する段階を含む、請求項１１に記載の投射面条件を考慮する映像投射方法。
【請求項１３】
上記（ｃ）段階は、
上記基準投射特性情報、上記対象投射特性情報および所定の色距離利得を反映し、視感色距離を算出する段階と、
上記処理映像に上記視感色距離を反映し、上記処理映像を色相修正映像に変換する段階と、
上記基準投射特性情報および上記対象投射特性情報を参照し、上記入力映像に対する輝度比を算出する段階と、
既設定された明るさ利得により上記輝度比を修正輝度比に変換する段階、および
上記色相修正映像に上記修正輝度比を反映し、上記色相修正映像を向上映像に変換する段階を含む、請求項１１に記載の投射面条件を考慮する映像投射方法。
【請求項１４】
上記（ｄ）段階は、
上記向上映像を標準出力映像に変換する段階、および
上記標準出力映像に上記基準投射特性情報および上記対象投射特性情報を反映し、上記標準出力映像を出力映像に変換する段階を含む、請求項１１に記載の投射面条件を考慮する映像投射方法。
【請求項１５】
上記基準投射特性情報は、
【数３２】
0005534638.tif 000093
の基準白色点（ｗｈｉｔｅ  ｐｏｉｎｔ）平準化座標情報、
【数３３】
0005534638.tif 000094
の基準黒色光座標情報、
【数３４】
0005534638.tif 000095
の基準色相行列情報、
【数３５】
0005534638.tif 000096
の機器色特性行列情報および
【数３６】
0005534638.tif 000097
の基準輝度情報中少なくともいずれか一つであるが、
ここで、
【数３７】
0005534638.tif 000098
は、基準投射面に白色光が投射された時の平準化された白色点座標値、
【数３８】
0005534638.tif 000099
は、基準投射面に黒色光が投射された時、測定値のＸＹＺ色空間座標値、
【数３９】
0005534638.tif 000100
は、基準投射面に様々な強度を有する赤色光、青色光、緑色光を交代で投射した時、赤色光の最大ＸＹＺ色空間座標値、青色光の最大ＸＹＺ色空間座標値および緑色光の最大ＸＹＺ色空間座標値行列、
【数４０】
0005534638.tif 000101
は、側色を遂行して獲得し、機器に依存的な色特性行列、
【数４１】
0005534638.tif 000102
は、基準投射面に白色光を投射した時、獲得した輝度値である、請求項１１に記載の投射面条件を考慮する映像投射方法。
【請求項１６】
上記基準色相行列情報は、
色の強度が互いに異なる複数の映像が反映された多数の原色値を補間し、生成されたトーンカーブで最大値を有する原色のＸＹＺ座標値を含む、請求項１１に記載の投射面条件を考慮する映像投射方法。
【請求項１７】
上記対象投射特性情報は、
【数４２】
0005534638.tif 000103
の対象白色点平準化座標情報、
【数４３】
0005534638.tif 000104
の対象白色光標準色空間座標情報、
【数４４】
0005534638.tif 000105
の対象黒色光標準色空間座標情報および
【数４５】
0005534638.tif 000106
の対象輝度情報中少なくともいずれか一つであるが、
ここで、
【数４６】
0005534638.tif 000107
は、対象投射面に白色光を投射し、獲得する白色点の座標値の平準化値、
【数４７】
0005534638.tif 000108
は、対象投射面に白色光を投射し、獲得する標準色空間座標値、
【数４８】
0005534638.tif 000109
は、対象投射面に黒色光を投射して獲得する標準色空間座標値、
【数４９】
0005534638.tif 000110
は、対象投射面に白色光を投射し、獲得した輝度情報である、請求項１５に記載の投射面条件を考慮する映像投射方法。
【請求項１８】
上記（ａ）段階は、
上記基準黒色光座標情報および上記基準色相行列情報を
【数５０】
0005534638.tif 000111
に代入し、上記入力映像を標準映像に変換する段階を含むが、
ここで、
【数５１】
0005534638.tif 000112
は、上記標準映像のＸＹＺ色空間座標値、
【数５２】
0005534638.tif 000113
は、上記入力映像のＲＧＢ色空間座標値である、請求項１５に記載の投射面条件を考慮する映像投射方法。
【請求項１９】
上記（ｃ）段階は、
上記基準白色点平準化座標情報、上記対象白色点平準化座標情報および上記色距離利得
【数５３】
0005534638.tif 000114
と表現される視感色距離を算出する段階と、
上記処理映像の白色点を上記視感色距離に変更し、上記処理映像を色相修正映像に変換する段階と、
上記基準輝度情報および上記対象輝度情報の比を算出し、輝度比を生成する段階と、
既設定された明るさ利得
【数５４】
0005534638.tif 000115
に代入し、上記輝度比を修正輝度比
【数５５】
0005534638.tif 000116
に変換する段階、および
輝度成分が
【数５６】
0005534638.tif 000117
の上記色相修正映像に上記修正輝度比を反映し、上記色相修正映像を輝度成分が
【数５７】
0005534638.tif 000118
の向上映像に変換する段階を含む、請求項１７に記載の投射面条件を考慮する映像投射方法。
【請求項２０】
上記（ｄ）段階は、
上記向上映像を標準出力映像に変換する段階と、
上記機器色特性行列情報、上記対象白色光標準色空間座標情報および上記対象黒色光標準色空間座標情報を式
【数５８】
0005534638.tif 000119
と表現される原色強度座標値を算出する段階と、
上記原色強度座標値および上記機器色特性行列情報を
【数５９】
0005534638.tif 000120
に代入し、対象色相行列情報を算出する段階、および上記対象色相行列情報を
【数６０】
0005534638.tif 000121
に代入し、上記標準出力映像を出力映像に変換する段階を含むが、
ここで、
【数６１】
0005534638.tif 000122
は、上記標準出力映像のＸＹＺ色空間座標値、
【数６２】
0005534638.tif 000123
は、上記出力映像のＲＧＢ座標値である、請求項１７に記載の投射面条件を考慮する映像投射方法。
【発明の詳細な説明】
【技術分野】
【０００１】
本発明は、映像投射装置および方法に関するものであり、特に、投射面条件を考慮する映像投射装置および方法に関するものである。
【背景技術】
【０００２】
一般的に、既存のプロジェクタの場合プロジェクタを事務室、会議室、または家庭の中の一定の位置に設置し、あらかじめ準備されたプロジェクタ専用スクリーンに映像を投射した。
【０００３】
しかし、今日ではマイクロ技術の発達により、プロジェクタのサイズが小さくなり、光変調器（Ｏｐｔｉｃａｌ  Ｍｏｄｕｌａｔｏｒ）あるいはマイクロ  ミラー（Ｍｉｃｒｏ  Ｍｉｒｒｏｒ）のような技術を適用し、携帯電話やノートパソコンに設置する携帯型に具現され始めた。
【０００４】
しかし、このような小型プロジェクタを携帯することにより生じる得る問題は綺麗な投射面を確保することが容易でないということである。
【０００５】
したがって、望む場所で投射面を気にせず、プロジェクタを使用するためには投射面の条件を考慮するプロジェクタが必要であり、現在その必要性が日増しに大きくなる傾向である。
【０００６】
特許文献１は携帯用端末機やノートブックなどによって投影画像を表示する時に画像が投影となるスクリーンの壁が白色ではなく他の色を帯びる場合、スクリーンに投影した画像の反射画像を生成し、反射画像と生成画像のデータを比較し、補正をする装置を開示しているが、これは、投影画像の比較時、ＲＧＢデータを色座標データに変換し、比較する特徴を有している。
【０００７】
しかし、開示された発明はスクリーンに対する正確な情報なく、スクリーンに投影した画像の反射画像を生成画像と比較し、画像補正を遂行するため、スクリーンの特性を考慮した効率的な補正が遂行できない。
【０００８】
したがって、スクリーンに対する正確な特性を反映し、映像補正を遂行することができる発明の登場が要求される。
【特許文献１】日本公開特許第２００４−２２９２９０号公報
【発明の開示】
【発明が解決しようとする課題】
【０００９】
本発明は、色がある投射面に対する情報を獲得して分析し、投射面の色によって発生する投射された映像の歪曲を抑制することをその目的とする。
【００１０】
本発明の目的は、以上で言及した目的に制限されず、言及されていないまた他の目的は次の記載から当業者に明確に理解され得るのであろう。
【課題を解決するための手段】
【００１１】
上記目的を達成するため、本発明による投射面条件を考慮された映像投射装置は、基準投射面に白色光源、黒色光源および有色光源を投射した時、獲得した基準投射特性情報を保存する機器特性保存部と、入力映像に上記基準投射特性情報を反映し、上記入力映像を処理映像に変換する第１映像変換部と、対象投射面に白色光源および黒色光源を投射し、対象投射特性情報を獲得する映像特性獲得部；上記処理映像に上記対象投射特性情報を反映し、上記処理映像を向上映像に変換する映像向上部、および上記向上映像に上記基準投射特性情報および上記対象投射特性情報を反映し、上記向上映像を出力映像に変換する第２映像変換部を含む。
【００１２】
上記目的を達成するため、本発明による投射面条件を考慮された映像投射方法は、基準投射面に白色光源、黒色光源、および有色光源を投射した時、獲得した基準投射特性情報を入力映像に反映し、上記入力映像を処理映像に変換する段階と、対象投射面に白色光源および黒色光源を投射し、対象投射特性情報を獲得する段階と、上記処理映像に上記対象投射特性情報を反映し、上記処理映像を向上映像に変換する段階、および上記向上映像に上記基準投射特性情報および上記対象投射特性情報を反映し、上記向上映像を出力映像に変換する段階を含む。
【発明の効果】
【００１３】
上術したように、本発明の実施形態による投射面条件を考慮する映像投射装置および方法によると、色がある投射面に対する情報を獲得し、分析し、投射面の色によって、発生する投射された映像の歪曲を抑制する長所がある。
【発明を実施するための最良の形態】
【００１４】
以下、添付された図面を参照し、本発明の望ましい実施形態を詳細に説明することとする。
図１は、本発明の一実施形態による投射面条件を考慮する映像投射装置を示したブロック図であって、このような本発明の投射面条件を考慮する映像投射装置は、機器特性保存部１１０、第１映像変換部１２０、映像特性獲得部１３０、映像向上部１４０および第２映像変換部１５０を含む。
【００１５】
機器特性保存部１１０は、基準投射面に白色光源、黒色光源および有色光源を投射した時、獲得した基準投射特性情報を保存する役割をする。
ここで、基準投射特性情報は、
【００１６】
【数６３】
0005534638.tif 000002
の基準白色点（ｗｈｉｔｅ  ｐｏｉｎｔ）平準化座標情報、
【００１７】
【数６４】
0005534638.tif 000003
の基準黒色光座標情報、
【００１８】
【数６５】
0005534638.tif 000004
の基準色相行列情報、
【００１９】
【数６６】
0005534638.tif 000005
の機器色特性行列情報および
【００２０】
【数６７】
0005534638.tif 000006
の基準輝度情報中少なくともいずれか一つであり得る。
【００２１】
また、
【００２２】
【数６８】
0005534638.tif 000007
は、基準投射面に白色光が投射された時の平準化された白色点座標値、
【００２３】
【数６９】
0005534638.tif 000008
は、基準投射面に黒色光が投射された時、測定値のＸＹＺ色空間座標値、
【００２４】
【数７０】
0005534638.tif 000009
は、基準投射面に様々な強度を有する赤色光、青色光、緑色光を交代に投射した時、赤色光の最大ＸＹＺ色空間座標値、青色光の最大ＸＹＺ色空間座標値および緑色光の最大ＸＹＺ色空間座標値行列、
【００２５】
【数７１】
0005534638.tif 000010
は、側色を遂行し獲得し、機器に依存的な色特性行列、
【００２６】
【数７２】
0005534638.tif 000011
は、基準投射面に白色光を投射した時、獲得した輝度値であり得る。
【００２７】
また、基準色相行列情報は、全ての原色に対し、強度が異なる様々な映像を反映した多数の原色値を獲得した後、獲得された多数の原色値を補間したトーンカーブ（ｔｏｎｅ  ｃｕｒｖｅ）を生成し、生成されたトーンカーブで最大値を有する原色のＸＹＺ座標値をその構成要素に含むこともあり得る。
【００２８】
第１映像変換部１２０は、入力映像の入力を受け、機器特性保存部１１０から基準投射特性情報の入力を受け、入力された基準投射特性情報を反映し、入力映像を処理映像に変換する役割をする。
【００２９】
ここで、第１映像変換部１２０の詳しい役割は、下記の図２の説明で詳述することとする。
映像特性獲得部１３０は、対象投射面に白色光源および黒色光源を投射し、対象投射特性情報を獲得する役割をする。
【００３０】
ここで、対象投射特性情報は、
【００３１】
【数７３】
0005534638.tif 000012
の対象白色点平準化座標情報、
【００３２】
【数７４】
0005534638.tif 000013
の対象白色光標準色空間座標情報、
【００３３】
【数７５】
0005534638.tif 000014
の対象黒色光標準色空間座標情報および
【００３４】
【数７６】
0005534638.tif 000015
の対象輝度情報中少なくともいずれか一つであり得る。また、
【００３５】
【数７７】
0005534638.tif 000016
は、対象投射面に白色光を投射し、獲得する白色点の座標値の平準化値、
【００３６】
【数７８】
0005534638.tif 000017
は、対象投射面に白色光を投射し、獲得する標準色空間座標値、
【００３７】
【数７９】
0005534638.tif 000018
は、対象投射面に黒色光を投射し、獲得する標準色空間座標値、
【００３８】
【数８０】
0005534638.tif 000019
は、対象投射面に白色光を投射し、獲得した輝度情報であり得る。
【００３９】
ここで、映像特性獲得部１３０は、投射映像発生部（図示されていないこと）および投射映像感知部（図示されていないこと）を含むことができるが、投射映像発生部は、投射面の条件を考慮する映像投射装置になり得、別途の信号映像発生装置となり得る。
【００４０】
映像向上部１４０は、映像特性獲得部１３０から対象投射特性情報の入力を受け、第１映像変換部１１０から処理映像の入力を受け、入力された対象投射特性情報を反映し、処理映像を向上映像に変換する役割をする。
【００４１】
ここで、映像向上部１４０の詳しい役割は、下記の図３の説明で詳述することとする。
第２映像変換部１５０は、映像向上部１４０から向上映像の入力を受け、機器特性保存部から基準投射特性情報の入力を受け、映像特性獲得部１３０から対象投射特性情報の入力を受け、入力された基準投射特性情報および対象投射特性情報を反映し、向上映像を出力映像に変換する役割をする。
【００４２】
ここで、第２映像変換部１５０の詳しい役割は、下記の図４の説明で上述することとする。
図２は、図１に図示された第１映像変換部を示したブロック図であって、このような本発明の投射面条件を考慮する映像投射装置は、標準色空間変換部２１０および処理色空間変換部２２０を含み得る。
【００４３】
標準色空間変換部２１０は、入力映像の入力を受け、機器特性保存部１１０から基準投射特性情報の入力を受け、入力された基準投射特性情報を反映し、入力映像を標準映像に変換する役割をする。
【００４４】
ここで、色空間変換部２１０は、入力映像の入力を受け、機器特性保存部１１０から基準黒色光座標情報および基準色相行列情報の入力を受け、入力された基準黒色光座標情報および基準色相行列情報を
【００４５】
【数８１】
0005534638.tif 000020
に代入し、入力映像を標準映像に変換することができる。
【００４６】
ここで、
【００４７】
【数８２】
0005534638.tif 000021
は、標準映像のＸＹＺ色空間座標値、
【００４８】
【数８３】
0005534638.tif 000022
は、入力映像のＲＧＢ色空間座標値であり得る。
【００４９】
処理色空間変換部２２０は、標準色空間変換部２１０から標準映像の入力を受け、入力された標準映像を処理映像に変換する役割をする。
【００５０】
図３は、図１に図示された映像向上部を示したブロック図であって、このような本発明の投射面条件を考慮する映像投射装置は、視感色距離算出部３１０、色相修正部３２０、輝度比算出部３３０、輝度比修正部３４０および明るさ修正部３５０を含む。
【００５１】
視感色距離算出部３１０は、機器特性保存部１１０から基準投射特性情報の入力を受け、映像特性獲得部１３０から対象投射特性情報の入力を受け、所定の色距離利得の入力を受け、入力された基準投射特性情報、対象投射特性情報および色距離利得を反映し、視感色距離を算出する役割をする。
【００５２】
また、色距離算出部３１０は、機器特性保存部１１０から基準白色点平準化座標情報の入力を受け、映像特性獲得部１３０から対象白色点平準化座標情報の入力を受け、所定の色距離利得の入力を受け、入力された基準白色点平準化座標情報、対象白色点平準化座標情報および色距離利得を
【００５３】
【数８４】
0005534638.tif 000023
と表現される視感色距離を算出することができる。
【００５４】
ここで、所定の色距離利得は、０より大きいか同じであり、１より小さいか同じである実数であって、当業者が過度な実験を遂行せず、導出することができるユーザ視感認知基盤利得であり得る。
色相修正部３２０は、視感色距離算出部３１０から視感色距離の入力を受け、第１映像変換部１２０から処理映像の入力を受け、入力された視感色距離を反映し、処理映像を色相修正映像に変換する役割をする。
【００５５】
輝度比算出部３３０は、機器特性保存部１１０から基準投射特性情報の入力を受け、映像特性獲得部１３０から対象投射特性情報の入力を受け、入力された基準投射特性情報および対象投射特性情報を反映し、輝度比を算出する役割をする。
【００５６】
ここで、輝度比算出部３３０は、機器特性保存部１１０から基準輝度情報の入力を受け、映像特性獲得部１３０から対象輝度情報の入力を受け、入力された基準輝度情報および対象輝度情報の比を算出し、輝度比を生成することができる。
【００５７】
輝度比修正部３４０は、輝度比算出部３３０から輝度比の入力を受け、ユーザによって入力されたユーザ選好の明るさ利得および選定された明るさ利得中少なくともいずれか一つの明るさ利得の入力を受け、入力された明るさ利得を反映し、輝度比を修正輝度比に変換する役割をする。
【００５８】
ここで、輝度比修正部３４０は、輝度比算出部３３０から輝度比の入力を受け、ユーザによって入力されたユーザ選好の明るさ利得および選定された明るさ利得中少なくともいずれか一つの明るさ利得
【００５９】
【数８５】
0005534638.tif 000024
の入力を受け、入力された明るさ利得および輝度比を
【００６０】
【数８６】
0005534638.tif 000025
と表現される修正輝度比に変換することができる。
【００６１】
また、選好の明るさ利得は、各段階を手動で調節するか、特定映像コンテンツに合うプロファイルであり得、選定された明るさ利得は、工場で予め定めた値であり得るが、これに限らない。
明るさ修正部３５０は、輝度比修正部３４０から修正輝度比の入力を受け、色相修正部３２０から色相修正映像の入力を受け、修正輝度比を反映し、色相修正映像を向上映像に変換する役割をする。
【００６２】
ここで、明るさ修正部３５０は、輝度比修正部３４０から修正輝度比の入力を受け、色相修正部３２０から輝度成分が
【００６３】
【数８７】
0005534638.tif 000026
の色相修正映像の入力を受け、入力された修正輝度比を反映し、色相修正映像を輝度成分が
【００６４】
【数８８】
0005534638.tif 000027
の向上映像に変換することができる。
【００６５】
図４は、図１に図示された第２映像変換部を示したブロック図であって、このような本発明の投射面条件を考慮する映像投射装置は、標準出力映像変換部４１０および出力映像変換部４２０を含む。標準出力映像変換部４１０は、映像向上部１４０から向上映像の入力を受け、入力された向上映像を標準出力映像に変換する役割をする。
【００６６】
出力映像変換部４２０は、標準出力映像変換部４１０から標準出力映像の入力を受け、機器特性保存部１１０から基準投射特性情報の入力を受け、映像特性獲得部１３０から対象投射特性情報の入力を受け、入力された基準投射特性情報および対象投射特性情報を反映し、標準出力映像を出力映像に変換する役割をする。
【００６７】
ここで、出力映像変換部４２０は、標準出力映像変換部４１０から標準出力映像の入力を受け、機器特性保存部１１０から機器色特性行列情報の入力を受け、映像特性獲得部１３０から対象白色光標準色空間座標情報および対象黒色光標準色空間座標情報の入力を受け、入力された機器色特性行列情報、対象白色光標準色空間座標情報および対象黒色光標準色空間座標情報を
【００６８】
【数８９】
0005534638.tif 000028
と表現される原色強度座標値を算出した後、原色強度座標値および機器色特性行列情報を
【００６９】
【数９０】
0005534638.tif 000029
に代入し、対象色相行列情報を算出し、対象色相行列情報を
【００７０】
【数９１】
0005534638.tif 000030
に代入し、標準出力映像を出力映像に変換することができる。
【００７１】
図５は、本発明の一実施形態による投射面条件を考慮する映像投射方法を示した動作フローチャートであり、このような本発明の投射面条件を考慮する映像投射方法を、図１を参照し、説明すると次のとおりである。
【００７２】
まず、第１映像変換部１２０が入力映像の入力を受け、機器特性保存部１１０から基準投射特性情報の入力を受け、入力された基準投射特性情報を反映し、入力映像を処理映像に変換する（Ｓ５１０）。
【００７３】
ここで、基準投射特性情報は、
【００７４】
【数９２】
0005534638.tif 000031
の基準白色点（ｗｈｉｔｅ  ｐｏｉｎｔ）平準化座標情報、
【００７５】
【数９３】
0005534638.tif 000032
の基準黒色光座標情報、
【００７６】
【数９４】
0005534638.tif 000033
の基準色相行列情報、
【００７７】
【数９５】
0005534638.tif 000034
の機器色特性行列情報および
【００７８】
【数９６】
0005534638.tif 000035
の基準輝度情報中少なくともいずれか一つであり得る。
【００７９】
ここで、
【００８０】
【数９７】
0005534638.tif 000036
は、基準投射面に白色光が投射された時の平準化された白色点座標値、
【００８１】
【数９８】
0005534638.tif 000037
は、基準投射面に黒色光が投射された時測定値のＸＹＺ色空間座標値、
【００８２】
【数９９】
0005534638.tif 000038
は、基準投射面に様々な強度を有する赤色光、青色光、緑色光を交代に投射した時の赤色光の最大ＸＹＺ色空間座標値、青色光の最大ＸＹＺ色空間座標値および緑色光の最大ＸＹＺ色空間座標値行列、
【００８３】
【数１００】
0005534638.tif 000039
は、側色を遂行し、獲得し、機器に依存的な色特性行列、
【００８４】
【数１０１】
0005534638.tif 000040
は、基準投射面に白色光を投射した時の獲得した輝度値であり得る。
【００８５】
その後、映像特性獲得部１３０が、対象投射面に白色光源および黒色光源を投射し、対象投射特性情報を獲得する（Ｓ５２０）。
【００８６】
ここで、対象投射特性情報は、
【００８７】
【数１０２】
0005534638.tif 000041
の対象白色点平準化座標情報、
【００８８】
【数１０３】
0005534638.tif 000042
の対象白色光標準色空間座標情報、
【００８９】
【数１０４】
0005534638.tif 000043
の対象黒色光標準色空間座標情報および
【００９０】
【数１０５】
0005534638.tif 000044
の対象輝度情報中少なくともいずれか一つであり得る。
【００９１】
また、
【００９２】
【数１０６】
0005534638.tif 000045
は、対象投射面に白色光を投射し、獲得する白色点の座標値の平準化値、
【００９３】
【数１０７】
0005534638.tif 000046
は、対象投射面に白色光を投射し、獲得する標準色空間座標値、
【００９４】
【数１０８】
0005534638.tif 000047
は、対象投射面に黒色光を投射し、獲得する標準色空間座標値、
【００９５】
【数１０９】
0005534638.tif 000048
は、対象投射面に白色光を投射し、獲得した輝度情報であり得る。
【００９６】
その後、映像向上部１４０が、映像特性獲得部１３０から対象投射特性情報の入力を受け、第１映像変換部１２０から処理映像の入力を受け、入力された対象投射特性情報を反映し、処理映像を向上映像に変換する（Ｓ５３０）。
【００９７】
その後、第２映像変換部１５０が、映像向上部１４０から向上映像の入力を受け、機器特性保存部１１０から基準投射特性情報の入力を受け、映像特性獲得部１３０から対象投射特性情報の入力を受け、入力された基準投射特性情報および対象投射特性情報を反映し、向上映像を出力映像に変換する（Ｓ５４０）。
【００９８】
図６ないし図８は、図５に図示された第１映像変換部１２０、映像向上部１４０、および第２映像変換部１５０の動作フローチャートであり、図２ないし図４および図６ないし図８を利用し、それぞれの動作過程を説明すると、次のとおりである。
【００９９】
まず、標準色空間変換部２１０が、入力映像の入力を受け、基準投射特性情報の入力を受け、入力された基準投射特性情報を反映し、入力映像を標準映像に変換する（Ｓ６１０）。
ここで、標準色空間変換部２１０は、入力映像の入力を受け、基準黒色光座標情報および基準色相行列情報の入力を受け、入力された基準黒色光座標情報および基準色相行列情報を
【０１００】
【数１１０】
0005534638.tif 000049
に代入し、入力映像を標準映像に変換することができる。
【０１０１】
ここで、
【０１０２】
【数１１１】
0005534638.tif 000050
は、標準映像のＸＹＺ色空間座標値、
【０１０３】
【数１１２】
0005534638.tif 000051
は、入力映像のＲＧＢ色空間座標値であり得る。
【０１０４】
その後、処理色空間変換部２２０が、標準映像の入力を受け、入力された標準映像を処理映像に変換する（Ｓ６２０）。
【０１０５】
その後、視感色距離算出部３１０が、基準投射特性情報の入力を受け、対象投射特性情報の入力を受け、所定の色距離利得の入力を受け、入力された基準投射特性情報、対象投射特性情報および色距離利得を反映し、視感色距離を算出する（Ｓ７１０）。
ここで、視感色距離算出部３１０は、基準白色点平準化座標情報の入力を受け、対象白色点平準化座標情報の入力を受け、所定の色距離利得の入力を受け、入力された基準白色点平準化座標情報、対象白色点平準化座標情報および色距離利得を
【０１０６】
【数１１３】
0005534638.tif 000052
と表現される視感色距離を算出することができる。
【０１０７】
ここで、所定の色距離利得は、０より大きいか同じであり、１より小さいか同じである実数であって、当業者が過度な実験を遂行せず、導出することができるユーザ視感認知基盤利得であり得る。
その後、色相修正部３２０が、視感色距離の入力を受け、処理映像の入力を受け、入力された視感色距離を反映し、処理映像を色相修正映像に変換する（Ｓ７２０）。
ここで、色相修正部３２０は、視感色距離の入力を受け、処理映像の入力を受け、入力された処理映像の白色点を視感色距離に変更することによって、色相修正映像に変換することができる。
【０１０８】
その後、輝度比算出部３３０が、基準投射特性情報の入力を受け、対象投射特性情報の入力を受け、入力された基準投射特性情報および対象投射特性情報を反映し、輝度比を算出し、輝度比修正部３４０が輝度比の入力を受け、ユーザによって入力されたユーザ選好の明るさ利得および選定された明るさ利得中少なくともいずれか一つの明るさ利得の入力を受け、入力された明るさ利得を反映し、入力された輝度比を修正輝度比に変換する（Ｓ７３０）。
【０１０９】
ここで、輝度比算出部３３０は、基準輝度情報の入力を受け、対象輝度情報の入力を受け、入力された基準輝度情報および対象輝度情報の比を算出し、輝度比を生成することができ、輝度比修正部３４０は、輝度比の入力を受け、ユーザによって入力されたユーザ選好の明るさ利得および選定された明るさ利得中少なくともいずれか一つの明るさ利得
【０１１０】
【数１１４】
0005534638.tif 000053
の入力を受け、入力された明るさ利得および輝度比を
【０１１１】
【数１１５】
0005534638.tif 000054
と表現される修正輝度比に変換することができる。
【０１１２】
その後、明るさ修正部３５０が、修正輝度比の入力を受け、色相修正映像の入力を受け、修正輝度比を反映し、色相修正映像を向上映像に変換する（Ｓ７４０）。
【０１１３】
ここで、明るさ修正部３５０は、修正輝度比の入力を受け、輝度成分が
【０１１４】
【数１１６】
0005534638.tif 000055
の色相修正映像の入力を受け、入力された修正輝度比を反映し、色相修正映像を輝度成分が
【０１１５】
【数１１７】
0005534638.tif 000056
の向上映像に変換することができる。
その後、標準出力映像変換部４１０が、向上映像の入力を受け、入力された向上映像を標準出力映像に変換する（Ｓ８１０）。
【０１１６】
その後、出力映像変換部４２０が、標準出力映像の入力を受け、基準投射特性情報の入力を受け、対象投射特性情報の入力を受け、入力された基準投射特性情報および対象投射特性情報を反映し、標準出力映像を出力映像に変換する（Ｓ８２０）。
【０１１７】
ここで、出力映像変換部４２０は、標準出力映像の入力を受け、機器色特性行列情報の入力を受け、対象白色光標準色空間座標情報および対象黒色光標準色空間座標情報の入力を受け、入力された機器色特性行列情報、対象白色光標準色空間座標情報および対象黒色光標準色空間座標情報を
【０１１８】
【数１１８】
0005534638.tif 000057
と表現される原色強度座標値を算出した後、原色強度座標値および機器色特性行列情報を
【０１１９】
【数１１９】
0005534638.tif 000058
に代入し、対象色相行列情報を算出し、対象色相行列情報を
【０１２０】
【数１２０】
0005534638.tif 000059
に代入し、標準出力映像を出力映像に変換することができる。
【０１２１】
また、
【０１２２】
【数１２１】
0005534638.tif 000060
は、標準出力映像のＸＹＺ色空間座標値、
【０１２３】
【数１２２】
0005534638.tif 000061
は出力映像のＲＧＢ座標値であり得る。
【０１２４】
本発明が属する技術分野の通常の知識を有する者は本発明がその技術的思想や必須の特徴を変更せず、他の具体的な形態で実施され得るということが理解できるだろう。したがって、以上で記述した実施形態は全ての面で例示的なものであり、限定的ではないこととして理解しなければならない。
【０１２５】
本発明の範囲は、上記詳細な説明よりは後述する特許請求の範囲によって示され、特許請求の範囲の意味および範囲そして、その均等概念から導き出される全ての変更あるいは変形された形態が本発明の範囲に含まれることと解釈されなければならない。
【図面の簡単な説明】
【０１２６】
【図１】本発明の一実施形態による投射面条件を考慮する映像投射装置を示すブロック図である。
【図２】図１に図示された第１映像変換部を示すブロック図である。
【図３】図１に図示された映像向上部を示すブロック図である。
【図４】図１に図示された第２映像変換部を示すブロック図である。
【図５】本発明の一実施形態による投射面条件を考慮する映像投射方法を示すフローチャートである。
【図６】図５に図示されたＳ５１０を示すフローチャートである。
【図７】図５に図示されたＳ５３０を示すフローチャートである。
【図８】図５に図示されたＳ５４０を示すフローチャートである。
【符号の説明】
【０１２７】
１１０      機器特性保存部
１２０      第１映像変換部
１３０      映像特性獲得部
１４０      映像向上部
１５０      第２映像変換部
【図１】
0005534638.tif 000124
【図２】
0005534638.tif 000125
【図３】
0005534638.tif 000126
【図４】
0005534638.tif 000127
【図５】
0005534638.tif 000128
【図６】
0005534638.tif 000129
【図７】
0005534638.tif 000130
【図８】
0005534638.tif 000131